(57)【特許請求の範囲】
【請求項１】
無線基地局が、配下の節電対象セルにおいて待ち受け状態の移動局を該節電対象セルのカバレッジを補完する補完セルにおいて待ち受け状態となるように誘導する工程Ａと、
前記無線基地局が、前記節電対象セルにおける通信を停止する工程Ｂとを有し、
前記工程Ａにおいて、前記無線基地局は、前記節電対象セルにおける報知情報を用いて前記誘導を行うことを特徴とする移動通信方法。
【請求項２】
前記工程Ａにおいて、前記報知情報には、前記節電対象セルに対するアクセスを規制するアクセス規制情報が含まれることを特徴とする請求項１に記載の移動通信方法。
【請求項３】
前記工程Ａにおいて、前記無線基地局は、前記節電対象セルにおいて接続状態の移動局を前記補完セルにおいて待ち受け状態となるように誘導することを特徴とする請求項１に記載の移動通信方法。
【請求項４】
前記無線基地局は、所定装置に対して、前記誘導を開始することを通知する開始通知信号を送信することを特徴とする請求項１に記載の移動通信方法。
【請求項５】
前記所定装置は、前記開始通知信号に応じて、前記節電対象セルのカバレッジを補完するために必要な無線チューニングを行うことを特徴とする請求項４に記載の移動通信方法。
【請求項６】
前記所定装置は、前記開始通知信号に応じて、前記補完セルから前記節電対象セルへのハンドオーバ処理及びリダイレクション処理を禁止することを特徴とする請求項４に記載の移動通信方法。
【請求項７】
前記所定装置は、前記開始通知信号に応じて、報知情報を用いて、前記補完セルにおいて待ち受け状態の移動局を前記節電対象セルにおいて待ち受け状態になるように誘導しないように設定することを特徴とする請求項４に記載の移動通信方法。
【請求項８】
前記工程Ａにおいて、前記無線基地局は、所定装置からの指示信号に応じて、前記誘導を開始することを特徴とする請求項１に記載の移動通信方法。
【請求項９】
前記無線基地局は、所定装置に対して、前記誘導が完了したことを通知する完了通知信号を送信することを特徴とする請求項１に記載の移動通信方法。
【請求項１０】
無線基地局であって、
配下の節電対象セルにおいて待ち受け状態の移動局を該節電対象セルのカバレッジを補完する補完セルにおいて待ち受け状態となるように誘導し、該節電対象セルにおける通信を停止するように構成されている制御部を具備し、
前記無線基地局は、前記節電対象セルにおける報知情報を用いて前記誘導を行うことを特徴とする無線基地局。
【発明の詳細な説明】
【技術分野】
【０００１】
本発明は、移動通信方法及び無線基地局に関する。
【背景技術】
【０００２】
従来の移動通信システムにおいて、節電を目的として、あるセル（節電対象セル）における通信を停止（Ｓｗｉｔｃｈ  ＯＦＦ）することが想定されている。
【先行技術文献】
【非特許文献】
【０００３】
【非特許文献１】３ＧＰＰ  ＴＳ３６.３００  Ｖ１０.５.０
【発明の概要】
【発明が解決しようとする課題】
【０００４】
しかしながら、上述のように、節電対象セルにおける通信を停止した場合、かかる節電対象セルにおいて待ち受け状態の移動局ＵＥは、セル選択処理（Ｃｅｌｌ  Ｓｅｌｅｃｔｉｏｎ）を完了するまで、一時的に、圏外表示になり、かかる移動局ＵＥ宛ての着信に対して応答することができなくなってしまう（すなわち、Ｐａｇｉｎｇ信号を受信することができなくなってしまう）という問題点があった。
【０００５】
そこで、本発明は、上述の課題に鑑みてなされたものであり、待ち受け状態の移動局ＵＥに対して影響を与えることなく、特定のセルにおける通信を停止することができる移動通信方法及び無線基地局を提供することを目的とする。
【課題を解決するための手段】
【０００６】
本発明の第１の特徴は、移動通信方法であって、無線基地局が、配下の節電対象セルにおいて待ち受け状態の移動局を該節電対象セルのカバレッジを補完する補完セルにおいて待ち受け状態となるように誘導する工程Ａと、前記無線基地局が、前記節電対象セルにおける通信を停止する工程Ｂとを有することを要旨とする。
【０００７】
本発明の第２の特徴は、無線基地局であって、配下の節電対象セルにおいて待ち受け状態の移動局を該節電対象セルのカバレッジを補完する補完セルにおいて待ち受け状態となるように誘導し、該節電対象セルにおける通信を停止するように構成されている制御部を具備することを要旨とする。
【発明の効果】
【０００８】
以上説明したように、本発明によれば、待ち受け状態の移動局ＵＥに対して影響を与えることなく、特定のセルにおける通信を停止することができる移動通信方法及び無線基地局を提供することができる。
【図面の簡単な説明】
【０００９】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムの動作を示すシーケンス図である。
【発明を実施するための形態】
【００１０】
（本発明の第１の実施形態に係る移動通信システム）
図１乃至図３を参照して、本発明の第１の実施形態に係る移動通信システムについて説明する。本実施形態を説明するための全図において、同一機能を有するものは同一符号を用い、繰り返しの説明は省略する。
【００１１】
以下、本実施形態では、ＬＴＥ（Ｌｏｎｇ  Ｔｅｒｍ  Ｅｖｏｌｕｔｉｏｎ）方式の移動通信システムを例に挙げて説明するが、本発明は、かかるケースに限定されるものではなく、他の方式の移動通信システムにも適用可能である。
【００１２】
また、本発明は、後述する節電対象セル及び補完セルが異なるＲＡＴ（Ｒａｄｉｏ  Ａｃｃｅｓｓ  Ｔｅｃｈｎｏｌｏｇｙ）を跨ぐケース（Ｉｎｔｅｒ-ＲＡＴ）にも適用可能である。
【００１３】
図１（ａ）及び図１（ｂ）に示すように、本実施形態に係る移動通信システムは、セルＡを管理する無線基地局ｅＮＢ＃Ａと、セルＢを管理する無線基地局ｅＮＢ＃Ｂと、セルＣを管理する無線基地局ｅＮＢ＃Ｃと、セルＤを管理する無線基地局ｅＮＢ＃Ｄと、セルＥを管理する無線基地局ｅＮＢ＃Ｅと、セルＦを管理する無線基地局ｅＮＢ＃Ｆと、セルＧを管理する無線基地局ｅＮＢ＃Ｇとを具備している。
【００１４】
なお、セルＡ〜Ｇは、同一周波数上に配置されていてもよいし、異なる周波数上に配置されていてもよいし、異なる移動通信システム上に配置されていてもよい。
【００１５】
図１（ａ）のケースでは、セルＢ〜Ｇにおける通信を停止し、セルＡのカバレッジを拡張してセルＢ〜Ｇのカバレッジを補完することとする。かかる場合、セルＢ〜Ｇを「節電対象セル」と呼び、セルＡを「補完セル」と呼ぶ。
【００１６】
一方、図１（ｂ）のケースでは、セルＡにおける通信を停止し、セルＢ〜Ｇのカバレッジを拡張してセルＡのカバレッジを補完することとする。かかる場合、セルＡを「節電対象セル」と呼び、セルＢ〜Ｇを「補完セル」と呼ぶ。
【００１７】
図１（ａ）のケースでは、無線基地局ｅＮＢ＃Ｂ〜ｅＮＢ＃Ｇは、配下のセルＢ〜Ｇ（節電対象セル）において待ち受け状態の移動局ＵＥをセルＡ（補完セル）において待ち受け状態となるように誘導した後、セルＢ〜Ｇにおける通信を停止するように構成されている。
【００１８】
ここで、セルＡは、予め拡張された状態にあってもよいし、所定装置からの指示信号の受信を以って拡張されてもよい。
【００１９】
図１（ｂ）のケースでは、無線基地局ｅＮＢ＃Ａは、配下のセルＡ（節電対象セル）において待ち受け状態の移動局ＵＥをセルＢ〜Ｇ（補完セル）のいずれかにおいて待ち受け状態となるように誘導した後、セルＡにおける通信を停止するように構成されている。
【００２０】
ここで、セルＢ〜Ｇは、予め拡張された状態にあってもよいし、所定装置からの指示信号の受信を以って拡張されてもよい。
【００２１】
本実施形態に係る移動通信システムは、図１（ａ）及び図１（ｂ）のいずれのケースにおいても同様に動作するため、以下、図１（ｂ）のケースを例に挙げて説明を行うものとする。
【００２２】
図２に示すように、無線基地局ｅＮＢ＃Ａは、受信部１１と、制御部１２と、送信部１３とを具備している。なお、無線基地局ｅＮＢ＃Ｂ〜ｅＮＢ＃Ｇも、同様の機能を具備している。
【００２３】
受信部１１は、所定装置、例えば、周辺の無線基地局ｅＮＢ＃Ｂ〜＃Ｇのうちの１つ又は複数の無線基地局ｅＮＢやコアネットワーク装置（例えば、移動管理ノードＭＭＥやゲートウェイ装置Ｓ/Ｐ-ＧＷ）やＯＡＭ（Ｏｐｅｒａｔｉｏｎ  Ａｎｄ  Ｍａｉｎｔｅｎａｎｃｅ）装置等からの各種信号を受信するように構成されている。
【００２４】
例えば、受信部１１は、かかる所定装置から、節電対象セル（セルＡ）における通信を停止するように指示する指示信号を受信するように構成されている。
【００２５】
ここで、節電対象セルは、予め決められていてもよいし、かかる指示信号によって指定されてもよい。
【００２６】
制御部１２は、節電対象セル（セルＡ）において待ち受け状態の移動局ＵＥを補完セル（セルＢ〜Ｇ）において待ち受け状態となるように誘導し、かかる節電対象セル（セルＡ）における通信の停止処理を行うように構成されている。
【００２７】
具体的には、制御部１２は、受信部１１による指示信号の受信に応じて、節電対象セル（セルＡ）のカバレッジが補完セル（セルＢ〜Ｇ）のカバレッジによって補完されている否かについて判断するように構成されていてもよい。
【００２８】
ここで、制御部１２は、予め設定されている情報（例えば、かかる補完が行われているか否かについて示すフラグ等）に基づいて、かかる判断を行うように構成されていてもよいし、補完セル（セルＢ〜Ｇ）における無線品質等を測定することによって、かかる判断を行うように構成されていてもよいし、所定装置からの情報に基づいて、かかる判断を行うように構成されていてもよい。
【００２９】
なお、制御部１２は、節電対象セル（セルＡ）のカバレッジが補完セル（セルＢ〜Ｇ）のカバレッジによって補完されていると判断した場合に、送信部１３に対して、節電対象セル（セルＡ）における通信を停止する旨を通知するための開始通知信号の所定装置への送信を指示し、かかる節電対象セル（セルＡ）における通信を停止する前に、かかる節電対象セル（セルＡ）において待ち受け状態の移動局ＵＥを補完セル（セルＢ〜Ｇ）において待ち受け状態となるように誘導するように構成されている。
【００３０】
ここで、かかる開始通知信号は、上述の誘導処理を開始する旨を通知してもよい。
【００３１】
例えば、制御部１２は、セルＡにおける報知情報を用いて、上述の誘導を行うように構成されていてもよい。
【００３２】
具体的には、かかる場合、制御部１２は、上述の報知情報に、節電対象セル（セルＡ）に対するアクセスを規制するアクセス規制情報（例えば、「Ｃｅｌｌ  Ｂａｒｒｅｄ」）を設定してもよいし、セル選択処理で用いられるパラメータ（例えば、「Ｎｅｉｇｈｂｏｒｉｎｇ  Ｃｅｌｌ  Ｌｉｓｔ」や「Ｐｒｉｏｒｉｔｙ」等）について節電対象セル（セルＡ）を選択しにくくなるように設定してもよい。
【００３３】
さらに、制御部１２は、セル選択処理で用いられるパラメータ（例えば、「Ｎｅｉｇｈｂｏｒｉｎｇ  Ｃｅｌｌ  Ｌｉｓｔ」や「Ｐｒｉｏｒｉｔｙ」等）について、移動局ＵＥが、補完セル（セルＢ〜Ｇ）を選択した後、節電対象セル（セルＡ）を再選択しにくくなるように設定してもよい。
【００３４】
この結果、節電対象セル（セルＡ）において待ち受け状態である移動局ＵＥは、圏外表示になり、かかる移動局ＵＥ宛ての着信に対して応答することができなくなってしまう（すなわち、Ｐａｇｉｎｇ信号を受信することができなくなってしまう）という状態に陥ることなく、補完セル（セルＢ〜Ｇ）を選択することができる。
【００３５】
制御部１２は、上述の誘導処理が完了した後、節電対象セル（セルＡ）における通信を停止するように構成されている。
【００３６】
また、制御部１２は、上述の誘導処理が完了した場合に、送信部１３に対して、その旨を通知するための完了通知信号の送信を指示する。なお、かかる完了通知信号は、節電対象セル（セルＡ）における通信の停止処理が完了したことを通知してもよい。
【００３７】
ここで、制御部１２は、送信部１３による完了通知信号の送信が完了した後に、節電対象セル（セルＡ）における通信を停止するように構成されていてもよい。
【００３８】
また、制御部１２は、節電対象セル（セルＡ）において接続状態の移動局ＵＥを補完セル（セルＢ〜Ｇ）において待ち受け状態となるように誘導してもよい。
【００３９】
なお、制御部１２は、上述の判断を行うことなく、送信部１３に対して、節電対象セル（セルＡ）における通信を停止する旨を通知するための開始通知信号の所定装置への送信を指示してもよい。
【００４０】
かかる場合、かかる所定装置は、上述の開始通知信号に応じて、節電対象セル（セルＡ）のカバレッジを補完するために必要な無線チューニングを行ってもよい。
【００４１】
或いは、かかる場合、かかる所定装置は、上述の開始通知信号に応じて、補完セル（セルＢ〜Ｇ）から節電対象セル（セルＡ）へのハンドオーバ処理及びリダイレクション処理を禁止してもよい。
【００４２】
さらに、かかる所定装置は、上述の開始通知信号に応じて、報知情報を用いて、補完セル（セルＢ〜Ｇ）において待ち受け状態の移動局ＵＥをセルＡにおいて待ち受け状態になるように誘導しないように設定してもよい。
【００４３】
送信部１３は、制御部１２から指示に応じて、上述の所定装置に対して、開始通知信号や完了通知信号等を送信するように構成されている。
【００４４】
以下、図３を参照して、本実施形態に係る移動通信システムの動作の一例について説明する。
【００４５】
図３に示すように、ステップＳ１００１において、所定装置、図３の例では、無線基地局ｅＮＢ＃Ｂが、無線基地局ｅＮＢ＃Ａに対して、節電対象セル（セルＡ）における通信を停止するように指示する指示信号を送信する。
【００４６】
無線基地局ｅＮＢ＃Ａは、ステップＳ１００２において、節電対象セル（セルＡ）のカバレッジが補完セル（セルＢ〜Ｇ）のカバレッジによって補完されていると判断した場合に、ステップＳ１００３において、無線基地局ｅＮＢ＃Ｂに対して、節電対象セル（セルＡ）における通信を停止する旨を通知するための開始通知信号を送信する。
【００４７】
ステップＳ１００４Ａにおいて、無線基地局ｅＮＢ＃Ａは、節電対象セル（セルＡ）における報知情報を用いて、かかる節電対象セル（セルＡ）における通信を停止する前に、かかる節電対象セル（セルＡ）において待ち受け状態の移動局ＵＥを補完セル（セルＢ）において待ち受け状態となるように誘導する。
【００４８】
一方、ステップＳ１００４Ｂにおいて、無線基地局ｅＮＢ＃Ｂは、補完セル（セルＢ）から節電対象セル（セルＡ）へのハンドオーバ処理及びリダイレクション処理を禁止する。
【００４９】
ステップＳ１００５において、無線基地局ｅＮＢ＃Ａは、無線基地局ｅＮＢ＃Ｂに対して、上述の誘導処理が完了した旨を通知するための完了通知信号を送信し、節電対象セル（セルＡ）における通信を停止する。
【００５０】
なお、無線基地局ｅＮＢ＃Ａは、節電対象セル（セルＡ）における通信を停止した後に、かかる完了通知信号を送信してもよい。
【００５１】
本発明の第１の実施形態に係る移動通信システムによれば、無線基地局ｅＮＢ＃Ａは、節電対象セル（セルＡ）における通信を停止する前に、かかる節電対象セルにおいて待ち受け状態の移動局ＵＥを補完セル（セルＢ〜Ｇ）において待ち受け状態となるように誘導することができるため、節電対象セル（セルＡ）における通信を停止する際に、一時的に、圏外表示になり、かかる移動局ＵＥ宛ての着信に対して応答することができなくなってしまう（すなわち、Ｐａｇｉｎｇ信号を受信することができなくなってしまう）という状態を回避することができる。
【００５２】
以上に述べた本実施形態の特徴は、以下のように表現されていてもよい。
【００５３】
本実施形態の第１の特徴は、移動通信方法であって、無線基地局ｅＮＢ＃Ａが、配下のセルＡ（節電対象セル）において待ち受け状態の移動局ＵＥをセルＡのカバレッジを補完する補完セル（セルＢ〜Ｇ）において待ち受け状態となるように誘導する工程Ａと、無線基地局ｅＮＢ＃Ａが、セルＡにおける通信を停止する工程Ｂとを有することを要旨とする。
【００５４】
本実施形態の第１の特徴において、工程Ａにおいて、無線基地局ｅＮＢ＃Ａは、セルＡにおける報知情報を用いて、上述の誘導を行ってもよい。
【００５５】
本実施形態の第１の特徴において、工程Ａにおいて、上述の報知情報には、セルＡに対するアクセスを規制するアクセス規制情報が含まれてもよい。
【００５６】
本実施形態の第１の特徴において、工程Ａにおいて、無線基地局ｅＮＢ＃Ａは、セルＡにおいて接続状態の移動局ＵＥを補完セル（セルＢ〜Ｇ）において待ち受け状態となるように誘導してもよい。
【００５７】
本実施形態の第１の特徴において、無線基地局ｅＮＢ＃Ａは、所定装置（例えば、無線基地局ｅＮＢ＃Ｂ〜ｅＮＢ＃Ｇやコアネットワーク装置やＯＡＭ装置等）に対して、上述の誘導を開始することを通知する開始通知信号を送信してもよい。
【００５８】
本実施形態の第１の特徴において、かかる所定装置は、上述の開始通知信号に応じて、セルＡのカバレッジを補完するために必要な無線チューニングを行ってもよい。
【００５９】
本実施形態の第１の特徴において、かかる所定装置は、上述の開始通知信号に応じて、補完セル（セルＢ〜Ｇ）からセルＡへのハンドオーバ処理及びリダイレクション処理を禁止してもよい。
【００６０】
本実施形態の第１の特徴において、かかる所定装置は、上述の開始通知信号に応じて、報知情報を用いて、補完セル（セルＢ〜Ｇ）において待ち受け状態の移動局ＵＥをセルＡにおいて待ち受け状態になるように誘導しないように設定してもよい。
【００６１】
本実施形態の第１の特徴において、工程Ａにおいて、無線基地局ｅＮＢ＃Ａは、かかる所定装置からの指示信号に応じて、上述の誘導を開始してもよい。
【００６２】
本実施形態の第１の特徴において、無線基地局ｅＮＢ＃Ａは、かかる所定装置に対して、上述の誘導が完了したことを通知する完了通知信号を送信してもよい。
【００６３】
本実施形態の第２の特徴は、無線基地局ｅＮＢであって、配下のセルＡにおいて待ち受け状態の移動局ＵＥをセルＡのカバレッジを補完する補完セル（セルＢ〜Ｇ）において待ち受け状態となるように誘導し、セルＡにおける通信を停止するように構成されている制御部１２とを具備することを要旨とする。
【００６４】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００６５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００６７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６８】
ＵＥ…移動局
ｅＮＢ…無線基地局
１１…受信部
１２…送信部
１３…制御部
【図１】
0005829891.tif 000002
【図２】
0005829891.tif 000003
【図３】
0005829891.tif 000004